【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
アクセスが制限された区域から複数の製品を配送する方法であって、
各製品に無線周波識別タグを設けるステップと、
少なくとも１つの所定の周波数で信号を発し、アクセスが制限された区域内に少なくとも１つの電磁場を発生するように構成された少なくとも１つのアンテナを前記アクセスが制約された区域内に配置するステップと、
前記アクセスが制限された区域内に複数の製品を配置するステップと、
キーから識別情報を読み取るステップと、
前記のキーから読み取られた識別情報が認証された場合、前記アクセスが制限された区域への進入を許可するステップと、
前記アクセスが制限された区域からの退出を検出するステップと、
前記少なくとも１つのアンテナを使用して、前記アクセスが制限された区域の第１のスキャンを行い、当該スキャンが第１の結果を生成するステップと、
第１の結果を所定の整合性レベルと比較するステップと、
第１の結果が所定の整合性レベルと等しくないか、または所定の整合性レベルを超えない場合は、１又はそれより多くの回数の後続スキャンを実行するステップと
を備える方法。
【請求項２】
各後続のスキャンは後の結果を生成し、
１又はそれより多くの回数の後続のスキャンを実行する前記ステップは、後の結果の少なくとも１つが整合性レベルと等しくなるか、又は整合性レベルを超えるまで継続し、
前記方法はさらに、
複数の製品の数を決定するステップと、
前記複数の製品の数から、第１の結果または前記の複数の後の結果のうちの１つに基づく値を減算することにより、前記複数の製品の数の変化を決定するステップと
を備える請求項１に記載の方法。
【請求項３】
第１のスキャンまたは前記の複数の後続のスキャンのうちの１つのスキャン中に複数のタグのうちの１又はそれより多くのタグをクローキングするステップをさらに備える請求項１に記載の方法。
【請求項４】
第１の結果または複数の後の結果のうちの１つに基づく情報をバッファに格納するステップをさらに備える請求項１に記載の方法。
【請求項５】
前記バッファに格納された情報を、第１の結果の後に行われたスキャンから得られた情報と比較するステップをさらに備える請求項４に記載の方法。
【請求項６】
第１のスキャンと各後続のスキャンとからなる群から選択された少なくとも１つのスキャンの読み取り時間を決定するステップをさらに備える請求項１に記載の方法。
【請求項７】
前記読み取り時間に基づいて動作パラメータを決定するステップをさらに備える請求項６に記載の方法。
【請求項８】
前記アクセスが制限された区域に関連付けられたセンサから情報を収集するステップをさらに備える請求項１に記載の方法。
【請求項９】
第１のスキャンと各後続のスキャンとからなる群から選択された少なくとも１つのスキャンに基づいてメッセージを発生するステップをさらに備える請求項１に記載の方法。
【請求項１０】
前記アクセスが制限された区域内のデバイスで維持される時間を標準時間基準と同期化するステップをさらに備える請求項１に記載の方法。
【請求項１１】
前記アクセスが制限された区域に関連付けられたデバイスの動作状態検査を行うステップをさらに備える請求項１に記載の方法。
【請求項１２】
１又はそれより多くの所定の警報条件を検査するステップをさらに備える請求項１に記載の方法。
【請求項１３】
前記電磁場のヌルの位置を変えるステップをさらに備える請求項１に記載の方法。
【請求項１４】
読み取り時間の曲線を使用してマイクロウェアハウス内の条件を決定するステップをさらに備える請求項１に記載の方法。
【請求項１５】
ＲＦＩＤを使用して、ＲＦＩＤタグを有する物品のある区域からの取り出しを検出するように構成された検出デバイスを備える装置であって、
前記検出デバイスにより前記区域からの物品の取り出しが検出されるのに応答してＸＭＬメッセージが発生され、
前記ＸＭＬメッセージに応答して物品の補充に関する決定が行われる、装置。
【請求項１６】
別の装置が物品の補充に関する決定を行う請求項１５に記載の装置。
【請求項１７】
ＸＭＬメッセージが、無線接続を介して前記装置から前記別の装置に送信される請求項１６に記載の装置。
【請求項１８】
前記ＸＭＬメッセージが、ネットワークを介して前記装置から前記別の装置に送信される請求項１６に記載の装置。
【請求項１９】
前記装置が自動販売機である請求項１５に記載の装置。
【請求項２０】
あらかじめ取り込まれた金銭相当物を含むスマートカードを読み取るように構成されたスマートカード・リーダと、
前記検出デバイスによる物品の検出に応じて、あらかじめ取り込まれた金銭相当物を引き落とすように構成された引き落としユニットと
をさらに備える請求項１５に記載の装置。
【請求項２１】
前記装置は自動販売機である請求項２０に記載の装置。
【請求項２２】
前記検出デバイスがさらに、ＲＦＩＤを使用して、ＲＦＩＤタグを有する物品の区域内への配置を検出する請求項１５に記載の装置。
【請求項２３】
前記区域が、冷蔵庫、冷凍庫、容器、部屋、保管庫、および装置からなる群から選択される請求項１５に記載の装置。
【請求項２４】
ＲＦＩＤタグを使用して、ＲＦＩＤタグを有する物品のある区域からの取り出しを検出する検出手段を備える装置であって、
前記検出手段により前記区域からの物品の取り出しが検出されるのに応答して、ＸＭＬメッセージが発生され、
前記ＸＭＬメッセージに応答して物品の補充に関する決定が行われる、装置。
【請求項２５】
別の装置が物品の補充に関する決定を行う請求項２４に記載の装置。
【請求項２６】
ＸＭＬメッセージが、無線接続を介して前記装置から前記別の別の装置に送信される請求項２５に記載の装置。
【請求項２７】
前記ＸＭＬメッセージが、ネットワークを介して前記装置から前記別の装置に送信される請求項２５に記載の装置。
【請求項２８】
前記装置が自動販売機である請求項２４に記載の装置。
【請求項２９】
あらかじめ取り込まれた金銭相当物を含むスマートカードを読み取るスマートカード読み取り手段と、
前記検出手段による物品の検出に応じて、あらかじめ取り込まれた金銭相当物を引き落とす引き落とし手段と
をさらに備える請求項２４に記載の装置。
【請求項３０】
前記装置が自動販売機である請求項２９に記載の装置。
【請求項３１】
ＲＦＩＤタグを使用して、ＲＦＩＤタグを有する物品のある区域からの取り出しを検出するステップと、
前記検出ステップにより前記区域からの物品の取り出しが検出されるのに応答して、ＸＭＬメッセージを発生するステップと、
前記ＸＭＬメッセージに応答して物品を補充するかどうかを決定するステップと
を備える方法。
【請求項３２】
前記検出ステップによる物品の検出に応じて、あらかじめ取り込まれたスマートカードの金銭相当物をスマートカード上で引き落とすステップ
をさらに備える請求項３１に記載の方法。
【請求項３３】
ＲＦＩＤタグを使用して、ＲＦＩＤタグを有する物品のある区域からの取り出しを検出するように構成された検出デバイスを備える装置であって、
前記検出デバイスにより前記区域からのＲＦＩＤタグの取り出しが検出されるのに応答して、マークアップ言語メッセージが発生され、
前記マークアップ言語メッセージに応答して、ＲＤＩＤタグに対応する物品の補充に関する決定が行われる、装置。
【請求項３４】
ＲＦＩＤタグを使用して、ある区域からのＲＦＩＤタグの取り出しを検出する検出手段を備える装置であって、
前記検出手段により前記区域からのＲＦＩＤタグの取り出しが検出されるのに応答して、マークアップ言語メッセージが発生され、
前記マークアップ言語メッセージに応答して、ＲＦＩＤタグに対応する物品の補充に関する決定が行われる装置。
【請求項３５】
ＲＦＩＤタグを使用して、ある区域からのＲＦＩＤタグの取り出しを検出するステップと、
前記検出ステップにより前記区域からのＲＦＩＤタグの取り出しが検出されるのに応答して、マークアップ言語メッセージを発生するステップと、
前記マークアップ言語メッセージに応答して、ＲＦＩＤタグに対応する物品を補充するかどうかを決定するステップと
を備える方法。
【請求項３６】
装置の一部分に可動式に取り付けられた、ＲＦＩＤスキャンを行うアンテナと、
前記アンテナを移動するように構成されたアンテナ移動ユニットと
を備える装置。
【請求項３７】
前記アンテナがピボットの上に取り付けられ、前記アンテナ移動ユニットが前記アンテナを軸回転させる請求項３６に記載の装置。
【請求項３８】
前記装置は冷凍庫である請求項３６に記載の装置。
【請求項３９】
前記アンテナが、前記冷凍庫のドアの内部に可動式に取り付けられる請求項３８に記載の装置。
【請求項４０】
前記アンテナは、ＲＦＩＤスキャンを行って、前記冷凍庫内に配置されたＲＦＩＤタグを検出する請求項３８に記載の装置。
【請求項４１】
前記ＲＦＩＤタグが前記冷凍庫内の棚の上に配置される請求項４０に記載の装置。
【請求項４２】
前記ＲＦＩＤタグが前記冷凍庫内の引き出しに配置される請求項４０に記載の装置。
【請求項４３】
前記アンテナが２つ以上ある請求項３６に記載の装置。
【請求項４４】
装置の一部分に取り付けられ、前記装置内のある区域のＲＦＩＤスキャンを行うように構成されたＲＦＩＤスキャン・ユニットを備え、
前記ＲＦＩＤスキャン・ユニットが、（ａ）前記区域内の電磁場の構成を変化させるように構成された可動部と、（ｂ）前記可動部の運動を制御する手段とを備える、装置。
【請求項４５】
前記可動部がアンテナである請求項４４に記載の装置。
【請求項４６】
前記アンテナがピボットの上に取り付けられる請求項４５に記載の装置。
【請求項４７】
前記区域が前記装置の引き出しを含む請求項４４に記載の装置。
【請求項４８】
前記区域が前記装置の棚を含む請求項４４に記載の装置。
【請求項４９】
前記装置が冷凍庫である請求項４４に記載の装置。
【請求項５０】
装置の一部分に取り付けられ、前記装置内のある区域のＲＦＩＤスキャンを行うように構成されたＲＦＩＤスキャン・ユニットを有する前記装置を設けるステップであって、前記ＲＦＩＤスキャン・ユニットが、（ａ）前記区域内の電磁場の構成を変化させるように構成された可動部と、（ｂ）前記可動部の運動を制御する手段とを備える、前記装置を設けるステップと、
前記可動部を動かして前記区域内の電磁場の構成を変化させるステップと
を備える方法。
【請求項５１】
第１のアンテナと、
第２のアンテナと、を備え、
前記第１のアンテナ及び前記第２のアンテナが、ＲＦＩＤスキャンを行うため使用され、
前記第１のアンテナと前記第２のアンテナを異なる時に作動させてＲＦＩＤスキャンを行う手段を更に備える、装置。
【請求項５２】
ＲＦＩＤスキャンを行う複数のアンテナを設けるステップと、
前記複数のアンテナの第１のアンテナと前記複数のアンテナの第２のアンテナを異なる時に作動させてＲＦＩＤスキャンを行うステップと
を備える方法。
【請求項５３】
ある区域のＲＦＩＤスキャンを行い、当該ＲＦＩＤスキャンが結果を発生するステップと、
前記結果を所定の整合性レベルと比較するステップと、
前記比較に応じて後続のＲＦＩＤスキャンを行うステップと
を備える方法。
【請求項５４】
前記比較に応じて後続のスキャンを行う前記ステップは、前記結果が所定の整合性レベル未満であるとの決定に応じて後続のスキャンを行うステップである請求項５３に記載の方法。
【請求項５５】
後続のスキャンの結果と所定の整合性レベルとの比較に応じて、後続のスキャンを行う前記ステップを反復するステップをさらに備える請求項５３に記載の方法。
【請求項５６】
ＲＦＩＤスキャンを行い、結果を得る手段と、
前記結果を所定の整合性レベルと比較する手段と、
前記比較に応じて、後続のＲＦＩＤスキャンを行う手段と
を備える装置。
【請求項５７】
ある区域から複数の製品を配送する方法であって、
各製品に無線周波識別タグを設けるステップと、
少なくとも１つの所定の周波数で信号を発し、区域内に少なくとも１つの電磁場を発生するように構成された少なくとも１つのアンテナを前記区域内に配置するステップと、
前記区域内に複数の製品を配置するステップと、
前記少なくとも１つのアンテナを使用して前記区域の第１のスキャンを行い、当該スキャンが第１の結果を発生するステップと、
第１の結果を所定の整合性レベルと比較するステップと、
第１の結果が所定の整合性レベルと等しくないか、又は所定の整合性レベルを超えない場合、１又はそれより多くの回数の後続のスキャンを実行するステップと
を備える方法。
【請求項５８】
各後続のスキャンが後の結果を発生し、１又はそれより多くの回数の後続のスキャンを実行する前記ステップは、前記後の結果の少なくとも１つが整合性レベルと等しくなるか、又は整合性レベルを超えるまで継続し、
前記方法はさらに、
複数の製品の数を決定するステップと、
前記複数の製品の数から第１の結果または前記の複数の後の結果のうちの１つに基づく値を減算することにより、複数の製品の数の変化を決定するステップと
を備える、請求項５７に記載の方法。
【請求項５９】
第１のスキャンまたは前記の複数の後続のスキャンの１つのスキャン中に複数のタグの１又はそれより多くのタグをクローキングするステップをさらに備える請求項５７に記載の方法。
【請求項６０】
装置内の空間のＲＦＩＤスキャンを行うように構成されたＲＦＩＤスキャン・ユニットを備える装置であって、
前記装置の内部壁面に配設された非平坦な反射面を有する装置。
【請求項６１】
前記非平坦な反射面が前記装置の内部壁面に取り付けられた部材の上にある請求項６０に記載の装置。
【請求項６２】
前記部材がのこぎり歯型の断面を有する請求項６１に記載の装置。
【請求項６３】
前記装置の内部壁面に取り付けられた反射器をさらに備え、前記反射器が非平坦な反射面を有する請求項６０に記載の装置。
【請求項６４】
前記非平坦な反射面がのこぎり歯型のパターンを備える請求項６３に記載の装置。
【請求項６５】
或る区域から複数の製品を配送する方法であって、
各製品に無線周波識別タグを設けるステップと、
少なくとも１つの所定の周波数で信号を発し、前記区域内に少なくとも１つの電磁場を発生するように構成された少なくとも１つのアンテナを設けるステップと、
前記区域内に複数の製品を配置するステップと、
識別情報を読み取るステップと、
前記の読み取られた識別情報が認証された場合、前記区域にアクセスするのを許可するステップと、
前記区域へのアクセスの終了を検出するステップと、
前記少なくとも１つのアンテナを使用して、前記区域の第１のスキャンを行い、当該スキャンが第１の結果を生成するステップと、
第１の結果を所定の整合性レベルと比較するステップと、
第１の結果が所定の整合性レベルと等しくないか、または所定の整合性レベルを超えない場合は、１又はそれより多くの回数の後続スキャンを実行するステップと
を備える方法。
【請求項６６】
前記識別情報を読み取るステップが、（ａ）指紋を読み取るステップと、（ｂ）ＲＦＩＤバッジを読み取るステップとのうちの１つを備える請求項６５記載の方法。
【請求項６７】
前記方法がステップ（ａ）を備える請求項６６記載の方法。
【請求項６８】
前記方法がステップ（ｂ）を備える請求項６６記載の方法。
【請求項６９】
前記区域が冷凍庫内にあり、
前記区域へのアクセスの終了を検出するステップが、近接センサの出力を検知することにより前記冷凍庫の扉の閉じを検出するステップを備え、
前記区域の第１のスキャンを行うステップが、前記冷凍庫の扉が閉じたことの検出に応答して実行され、
在庫メッセージが、２つのスキャン間の相違に従って発生され、
前記区域にアクセスするのを許可するステップが、前記冷凍庫に取り付けられた電気的に作動する錠のソレノイドを制御するステップを備え、
前記少なくとも１つのアンテナが、前記冷凍庫上に又はその中に取り付けられ、
受動型タグが、  各製品に無線周波識別タグを設ける前記ステップにおいて用いられる
請求項６６記載の方法。
【請求項７０】
前記複数の製品が生物学的製品を備える請求項６９記載の方法。
【請求項７１】
前記生物学製品が、酵素、アッセイ及びクローニング・ベクターから成るグループから選択される請求項７０記載の方法。